(57)【要約】【課題】ケース本体と蓋部材とを組み付けて形成され、そのケース本体と蓋部材とを固定するかしめ部を被覆するかしめ部カバーを備える基板ケースにおいて、ケース本体と蓋部材との固定を不正に解除する不正行為を防止することができる基板ケースを提供する。【解決手段】基板ケース１において、かしめ部カバー５の内部には、かしめ部カバー５の内周面から内側方向へ突設されるリブ１５が形成され、リブ１５は、かしめ部カバー５が基板ケース１に係止された状態で、第一蓋側切り欠け部１３７に挿入され、嵌入部材５０が前記嵌入方向と反対方向へ移動することを規制する。【選択図】図１８
2011212317.tif 000002
【特許請求の範囲】
【請求項１】
ケース本体と蓋部材とを組み付けて形成される基板ケースにおいて、
前記ケース本体の一側面に設けられる本体側筒状部材と、前記蓋部材の一側面に設けられる蓋側筒状部材とを組み付けて形成され、前記本体側筒状部材と前記蓋側筒状部材とを跨いだ状態に嵌入部材が嵌入される基板ケース筒状部材と、
内部に前記基板ケース筒状部材を収容した状態で前記ケース本体および前記蓋部材に係止される基板ケース筒状部材カバーと、
を備え、
前記基板ケース筒状部材カバーは、一面が開口された略箱状に形成され、前記開口した面を前記ケース本体および前記蓋部材の前記一側面に向けた姿勢で前記基板ケースに係止され、
前記基板ケース筒状部材における前記本体側筒状部材および前記蓋側筒状部材の少なくとも一方の側面には、前記嵌入部材の嵌入方向へ向けて切り欠かれた切欠部が形成され、
前記基板ケース筒状部材カバーの内部には、前記基板ケース筒状部材カバーの内周面から内側方向へ突設されるリブが形成され、
前記リブは、前記基板ケース筒状部材カバーが前記基板ケースに係止された状態で、前記切欠部に挿入され、前記嵌入部材が前記嵌入方向と反対方向へ移動することを規制する、
ことを特徴とする基板ケース。
【請求項２】
前記本体側筒状部材および前記蓋側筒状部材の一方における、前記嵌入方向の外側端部には、該外側端部を閉じる閉塞部が形成され、
前記嵌入部材は、前記本体側筒状部材および前記蓋側筒状部材の他方側から、該本体側筒状部材および前記蓋側筒状部材に嵌入され、
前記切欠部は、前記本体側筒状部材および前記蓋側筒状部材の他方の側面に形成され、
前記他方の側面に形成される切欠部に挿入された前記リブは、前記嵌入方向における前記本体側筒状部材および前記蓋側筒状部材の前記他方側への、前記嵌入部材の移動を規制する、
ことを特徴とする請求項１に記載の基板ケース。
【発明の詳細な説明】
【技術分野】
【０００１】
本発明は、ケース本体と蓋部材とを組み付けて形成され、そのケース本体と蓋部材とを固定するかしめ部を被覆するかしめ部カバーを備える基板ケースの技術に関する。
【背景技術】
【０００２】
従来、パチンコ機やスロットルマシン等の遊技機において、制御基板を収納する部材として、ケース本体と蓋部材とを組み付けて形成される基板ケースが用いられている。基板ケースに収納した制御基板への不正行為を防止するため、基板ケースに関する種々の技術が公知となっている。
【０００３】
例えば、特許文献１に記載の技術にて、ケース本体と蓋部材とを組み付けて形成される基板ケースは、制御基板を収納して、ケース本体側が遊技機と対向する姿勢で、遊技機の裏面に取り付けられる。
基板ケースは、ケース本体に設けられたケース側筒部と、蓋部材に設けられた蓋側筒部とを具備する。基板ケースにおいて、ケース側筒部と蓋側筒部とは、それぞれの内部空間が基板ケースの取り付け方向（ケース本体と蓋部材との組み付け方向）に向けて繋がっている。そして、スプリングピンが、蓋側筒部から遊技機側へ向けて蓋側筒部およびケース側筒部に挿入される。スプリングピンは、蓋側筒部とケース側筒部との内部空間を跨いだ位置まで挿入されると、蓋側筒部に嵌め込まれて固定され、ケース本体と蓋部材とが固定される。
このように一度挿入したスプリングピンを本体側筒部と蓋側筒部とを跨いだ位置から抜き取り難くすることにより、ケース側筒部と蓋側筒部との固定が容易に解除され、ケース本体と蓋部材とが開封されて基板ケースに収納している制御基板へ不正行為が行われることを防止している。
【０００４】
また、特許文献２に記載の技術にて、ケース本体（第一ボックス構成部材）と蓋部材（第二ボックス構成部材）とを組み付けて形成される基板ケース（基板ボックス）は、ケース本体に設けられたケース側筒部（かしめ部）と、蓋部材に設けられた蓋側筒部（かしめ部）とが、かしめ部カバー（固着部カバー）によって被覆されている。
このようにかしめ部カバーに被覆されることにより、ケース側筒部と蓋側筒部との固定が不正に解除され、ケース本体と蓋部材とが開封されて基板ケースに収納している制御基板へ不正行為が行われることを防止している。
【先行技術文献】
【特許文献】
【０００５】
【特許文献１】特開２００７−２６８０６２号公報
【特許文献２】特開２００９−１０６３４４号公報
【発明の概要】
【発明が解決しようとする課題】
【０００６】
しかしながら、特許文献１に記載の技術のように、スプリングピンが、蓋側筒部とケース側筒部との内部空間を跨いだ位置まで挿入され、蓋側筒部に嵌め込まれて固定されたとしても、例えば、スプリングピンの反挿入側である本体側筒部の底部に貫通孔が形成され、この貫通孔を通じてドライバのような細長い工具が挿入され、スプリングピンが反挿入方向へ向けて強い力で押圧されて移動し、本体側筒部と蓋側筒部との固定が不正に解除される場合がある。
【０００７】
また、特許文献２に記載の技術のように、かしめ部カバーを設けたとしても、切断用の工具を用いれば、そのかしめ部カバーの一部分が切断されて開口部が形成され、その開口部を通じてかしめ部カバーの内側に（前述した貫通孔の形成のような）不正な細工が施される場合がある。
【０００８】
つまり、特許文献１および特許文献２に記載の技術を用いた場合であっても、かしめ部カバーが基板ケースに取り付けられた状態のまま、かしめ部カバーに切断用の工具を用いて開口部が形成され、この開口部を通じてケース本体に設けられた本体側筒部に貫通孔が形成されることがある。このような場合には、その開口部および貫通孔を通じてドライバのような細長い工具が挿入され、スプリングピンが反挿入方向へ向けて強い力で押圧されて移動し、スプリングピンによる本体側筒部と蓋側筒部との固定が不正に解除されることとなる。つまり、ケース本体と蓋部材とが開封され、基板ケースに収納されている制御基板へ不正行為が行われおそれがあるという問題があった。
【０００９】
本発明は、上記のような問題点に鑑みてなされたものであり、その解決しようとする課題は、ケース本体と蓋部材とを組み付けて形成され、そのケース本体と蓋部材とを固定するかしめ部を被覆するかしめ部カバーを備える基板ケースにおいて、ケース本体と蓋部材との固定を不正に解除する不正行為を防止することができる基板ケースを提供するものである。
【課題を解決するための手段】
【００１０】
本発明の解決しようとする課題は以上の如くであり、次にこの課題を解決するための手段を説明する。
【００１１】
即ち、請求項１においては、ケース本体と蓋部材とを組み付けて形成される基板ケースにおいて、前記ケース本体の一側面に設けられる本体側筒状部材と、前記蓋部材の一側面に設けられる蓋側筒状部材とを組み付けて形成され、前記本体側筒状部材と前記蓋側筒状部材とを跨いだ状態に嵌入部材が嵌入される基板ケース筒状部材と、内部に前記基板ケース筒状部材を収容した状態で前記ケース本体および前記蓋部材に係止される基板ケース筒状部材カバーと、を備え、前記基板ケース筒状部材カバーは、一面が開口された略箱状に形成され、前記開口した面を前記ケース本体および前記蓋部材の前記一側面に向けた姿勢で前記基板ケースに係止され、前記基板ケース筒状部材における前記本体側筒状部材および前記蓋側筒状部材の少なくとも一方の側面には、前記嵌入部材の嵌入方向へ向けて切り欠かれた切欠部が形成され、前記基板ケース筒状部材カバーの内部には、前記基板ケース筒状部材カバーの内周面から内側方向へ突設されるリブが形成され、前記リブは、前記基板ケース筒状部材カバーが前記基板ケースに係止された状態で、前記切欠部に挿入され、前記嵌入部材が前記嵌入方向と反対方向へ移動することを規制するものである。
【００１２】
請求項２においては、前記本体側筒状部材および前記蓋側筒状部材の一方における、前記嵌入方向の外側端部には、該外側端部を閉じる閉塞部が形成され、前記嵌入部材は、前記本体側筒状部材および前記蓋側筒状部材の他方側から、該本体側筒状部材および前記蓋側筒状部材に嵌入され、前記切欠部は、前記本体側筒状部材および前記蓋側筒状部材の他方の側面に形成され、前記他方の側面に形成される切欠部に挿入された前記リブは、前記嵌入方向における前記本体側筒状部材および前記蓋側筒状部材の前記他方側への、前記嵌入部材の移動を規制するものである。
【発明の効果】
【００１３】
本発明の効果として、以下に示すような効果を奏する。
【００１４】
ケース本体と蓋部材とを組み付けて形成され、そのケース本体と蓋部材とを固定するかしめ部（基板ケース筒状部材）を被覆するかしめ部カバー（基板ケース筒状部材カバー）を備える基板ケースにおいて、ケース本体と蓋部材との固定を不正に解除する不正行為を防止することができる。
【図面の簡単な説明】
【００１５】
【図１】本発明の一実施形態に係る基板ケースの全体的な構成を示した斜視図。
【図２】同じく、かしめ部カバーおよびシール貼付部カバーを取り外した状態の構成を示した斜視図。
【図３】同じく、かしめ部カバーおよびシール貼付部カバーを取り外した状態の構成を示した正面図。
【図４】同じく、蓋部材およびケース本体の構成を示した基板ケースの分解斜視図。
【図５】同じく、かしめ部の構成を示した斜視図。
【図６】（ａ）同じく、蓋側かしめ部の構成を示した斜視図。（ｂ）同じく、かしめ部の構成を示した正面図。
【図７】（ａ）同じく、ケース側かしめ部の構成を示した斜視図。（ｂ）同じく、かしめ部の構成を示した背面図。
【図８】（ａ）同じく、第一蓋側かしめ部および第二蓋側かしめ部の構成を示した平面図。（ｂ）同じく、第一本体側かしめ部および第二本体側かしめ部の構成を示した平面図。
【図９】（ａ）同じく、第一蓋側かしめ部および第二蓋側かしめ部の構成を示した平面断面図。（ｂ）同じく、第一本体側かしめ部および第二本体側かしめ部の構成を示した平面断面図。
【図１０】同じく、第一かしめ部および第二かしめ部の構成を示した平面図。
【図１１】同じく、第一かしめ部および第二かしめ部の構成を示した平面断面図。
【図１２】同じく、嵌入部材の構成を示した正面図。
【図１３】同じく、第一かしめ部および第二かしめ部に嵌入部材が嵌入された状態を示した平面断面図。
【図１４】同じく、係止片の構成を示した斜視図。
【図１５】（ａ）同じく、かしめ部カバーの構成を示した底面図。（ｂ）同じく、かしめ部カバーの構成を示した平面図。
【図１６】（ａ）同じく、かしめ部カバーの構成を示した背面図。（ｂ）同じく、かしめ部カバーの構成を示した右側面図。（ｃ）同じく、図１６（ａ）におけるＡ−Ａ線矢視断面図。
【図１７】同じく、かしめ部カバーと基板ケースとの取り付け構成を示した平面図。
【図１８】同じく、図１３における、かしめ部カバーが取り付けられた状態を示した平面断面図。
【図１９】（ａ）同じく、図１７におけるＢ−Ｂ線矢視断面図。（ｂ）同じく、図１７におけるＣ−Ｃ線矢視断面図。
【図２０】（ａ）同じく、係止片挿入体および内側係止片の構成を示した右側面図。（ｂ）同じく、図２０（ａ）におけるＤ−Ｄ線矢視断面図。
【図２１】（ａ）同じく、図１７におけるＥ−Ｅ線矢視断面図。（ｂ）同じく、図１７におけるＦ−Ｆ線矢視断面図。
【図２２】かしめ部カバー、第一かしめ部および第二かしめ部に施された不正な細工の一例を示した平面断面図。
【図２３】図２２における不正な細工に対して、嵌入部材の反嵌入方向への移動が規制される構成を示した平面断面図。
【発明を実施するための形態】
【００１６】
本発明の一実施形態に係る基板ケース１について、図１から図４を用いて説明する。
なお、以下の説明において、図１における矢印Ｘの指す方向を基板ケース１の右方向として左右方向を規定する。また、図１における矢印Ｙの指す方向を基板ケース１の前方向として前後方向を規定する。さらに、図１における矢印Ｚの指す方向を基板ケース１の上方向として上下方向を規定する。
【００１７】
基板ケース１は、パチンコ機やスロットルマシン等の遊技機に対して、制御基板を収納する部材として用いられる。基板ケース１は、ポリカーボネート（Ｐｏｌｙｃａｒｂｏｎａｔｅ：ＰＣ）等の透明かつ硬質な合成樹脂材料等により構成され、その内部に制御基板（不図示）を収納する中空状の部材である。基板ケース１は、その内部に制御基板を収納した状態で、パチンコ機やスロットルマシン等の遊技機の裏側に配置されて、この遊技機の裏面に取り付けられる。
【００１８】
基板ケース１は、図１から図４に示すように、ケース本体２と、蓋部材３とを備える。基板ケース１は、ケース本体２と蓋部材３とを、後前に対向させた状態で組み付け、中空状に構成される。基板ケース１においては、かしめ部１０およびシール貼付部４がケース本体２と蓋部材３との間に跨って設けられて、かしめ部１０がかしめ部カバー５により被覆され、シール貼付部４がシール貼付部カバー６により被覆される。
【００１９】
ケース本体２は、蓋部材３とともに基板ケース１の主たる構造体を成す部材である。ケース本体２は、蓋部材３との対向側である前側および下側が開口された略直方体の箱状に形成される。ケース本体２は、その長手方向を左右方向とし、その短手方向を上下方向として配置され、背面が遊技機の裏面と対向するように当該遊技機に支持される。ケース本体２の前後幅は、上下幅よりも短く設定される。また、ケース本体２は、本体側シール貼付部４２と、本体側かしめ部２０とを備える。
【００２０】
本体側シール貼付部４２は、後述する蓋部材３の蓋側シール貼付部４３とともにシール貼付部４を構成する。本体側シール貼付部４２は、ケース本体２の右端部（右側板）から右外方へ向けて突設される。本体側シール貼付部４２は、前側が開口された略直方体の箱状に形成される。本体側シール貼付部４２の前後幅はケース本体２の前後幅の半分程度に設定され、本体側シール貼付部４２の上下幅はケース本体２の上下幅よりも短く設定される。
【００２１】
本体側かしめ部２０は、後述する蓋部材３の蓋側かしめ部３０とともにかしめ部１０を構成する。本体側かしめ部２０は複数（本実施形態においては６つ）備えられる。複数の本体側かしめ部２０は、ケース本体２の上端部（天板）に設けられ、ケース本体２の長手方向、即ち左右方向に適宜の間隔ごとに配置される。
【００２２】
蓋部材３は、ケース本体２とともに基板ケース１の主たる構造体を成す部材である。蓋部材３は、ケース本体２との対向側である後側が開口されたケース本体２と同程度の大きさの略直方体の箱状に形成される。蓋部材３は、その長手方向を左右方向とし、その短手方向を上下方向として配置される。蓋部材３の前後幅は、上下幅よりも短く設定される。また、蓋部材３は、蓋側シール貼付部４３と、蓋側かしめ部３０とを備える。
【００２３】
蓋側シール貼付部４３は、ケース本体２の本体側シール貼付部４２とともにシール貼付部４を構成する。蓋側シール貼付部４３は、蓋部材３の右端部（右側板）から右外方へ向けて突設される。蓋側シール貼付部４３は、ケース本体２の本体側シール貼付部４２と同程度の上下幅および左右幅を有する略平板状に形成され、蓋部材３がケース本体２に組み付けられたときに正面視で本体側シール貼付部４２と重なり合うように配置される。
【００２４】
蓋側かしめ部３０は、ケース本体２の本体側かしめ部２０とともにかしめ部１０を構成する。蓋側かしめ部３０はそれぞれ、本体側かしめ部２０と同数（本実施形態においては６つ）備えられる。複数の蓋側かしめ部３０は、蓋部材３の上端部（天板）に設けられ、蓋部材３がケース本体２に組み付けられたときに正面視で一つの本体側かしめ部２０と重なり合うように配置される。
【００２５】
かしめ部１０は、一つの本体側かしめ部２０と一つの蓋側かしめ部３０とから形成される。かしめ部１０は、本体側かしめ部２０（蓋側かしめ部３０）と同数（本実施形態においては６つ）備えられる。複数のかしめ部１０は、ケース本体２と蓋部材３とが組み付けられたとき、蓋側かしめ部３０を本体側かしめ部２０に下方から嵌め込んだ状態で形成され、前後に連続する蓋部材３の天板の前側部分およびケース本体２の天板よりも上方に配置される。
【００２６】
シール貼付部４は、本体側シール貼付部４２と蓋側シール貼付部４３とから形成される。シール貼付部４は、ケース本体２と蓋部材３とが組み付けられたとき、蓋側シール貼付部４３により本体側シール貼付部４２の開口側を閉塞して、略直方体の箱状に形成される。シール貼付部４には、本体側シール貼付部４２と蓋側シール貼付部４３とを跨ぐように、封印シールが貼付される。これにより、蓋部材３がケース本体２から外されたときには、封印シールが剥離した痕跡が残るため、基板ケース１が開封されたことが視覚的に認識可能となる。
【００２７】
かしめ部カバー５は、図１に示すように、複数のかしめ部１０を被覆する透明の部材である。かしめ部カバー５は、基板ケース１の内部に収納した制御基板への不正行為を防止するために用いられる。かしめ部カバー５は、下側が開口された略直方体の箱状に形成される。かしめ部カバー５は、ケース本体２と蓋部材３とが組み付けられたとき、前後に連続する蓋部材３の天板の前側部分、およびケース本体２の天板に取り付けられる。かしめ部カバー５の前後左右および上下幅は、複数のかしめ部１０を外側から一括して被覆可能な長さに設定される。
【００２８】
シール貼付部カバー６は、図１に示すように、シール貼付部４を被覆する透明の部材である。シール貼付部カバー６は、基板ケース１の内部に収納した制御基板への不正行為を防止するために用いられる。シール貼付部カバー６は、左側が開口された略直方体の箱状に形成される。シール貼付部カバー６は、ケース本体２と蓋部材３とが組み付けられたとき、蓋部材３の右側板およびケース本体２の右側板に取り付けられる。シール貼付部カバー６の前後左右および上下幅は、シール貼付部４を外側から被覆可能な長さに設定される。
【００２９】
このように構成される基板ケース１において、その組み立て時には、まず、図３に示すように、蓋部材３を開口側がケース本体２の前開口側と対向するようにケース本体２の前方に移動させて、ケース本体２と蓋部材３との左右方向の位置を合わせる。次に、蓋部材３をケース本体２よりも少し下方へ移動させながらケース本体２に近づけて、蓋部材３の天板および左右側板の後側部分がケース本体２内においてケース本体２の天板および左右側板にそれぞれ内側から当接するように蓋部材３の上部をケース本体２に嵌合させる。
【００３０】
その後、蓋部材３の上部をケース本体２に嵌合させたまま上方へスライド移動させて、蓋部材３の各蓋側かしめ部３０をケース本体２の各本体側かしめ部２０に下方から嵌め込んで、蓋部材３をケース本体２に組み付ける。この際、各蓋側かしめ部３０が対応する各本体側かしめ部２０と前後に並んで、各かしめ部１０が形成されることになる。同時に、蓋側シール貼付部４３が本体側シール貼付部４２と前後に並んで、シール貼付部４が形成されることになる。そして、嵌入部材５０を各かしめ部１０（蓋側かしめ部３０および本体側かしめ部２０）に前方または後方から嵌入して、本体側かしめ部２０と蓋側かしめ部３０とをかしめ、ケース本体２と蓋部材３とを複数のかしめ部１０にて固定する（図１３参照）。
【００３１】
こうして、ケース本体２と蓋部材３とを組み付け、組み付けたケース本体２と蓋部材３との間に跨ってかしめ部１０およびシール貼付部４を設けた後、かしめ部カバー５をケース本体２および蓋部材３の上部に取り付けて、複数のかしめ部１０をかしめ部カバー５により外側から一括して覆う。また、シール貼付部カバー６をケース本体２および蓋部材３の右側部に取り付けて、シール貼付部４をシール貼付部カバー６により外側から覆う。これにより、基板ケース１の組み立てが終了して、基板ケース１が完成する。
【００３２】
次に、かしめ部１０の構成について、図５から図１１を用いてさらに詳細に説明する。
【００３３】
複数のかしめ部１０は、複数組に分けられて、基板ケース１の上端部に組ごとに数個ずつまとめて配置される。本実施形態においては、図５に示すように、６つのかしめ部１０が、二組に分けられて、基板ケース１の上端部における左右の２箇所に３つずつまとめて配置される。
以下の説明においては、左側の組の構成についてのみ説明する。右側の組の構成は、左側の組と略同一の構成であって、基板ケース１の左右中央を中心として左右対称な構成であるので、各構成部材に図面にて左側の組の説明で用いた符号と同一の符号を付すことで、その説明を省略する。
【００３４】
３つのかしめ部１０は、基板ケース１の上端部において、基板ケース１の左右中央よりも左側に配置され、隣り合うものと近接した状態で左右方向へ順次並べられる。本実施形態においては、図５に示すように、３つのかしめ部１０である第一かしめ部１００、第二かしめ部２００および第三かしめ部３００が、基板ケース１の上端部左側において、右側（基板ケース１の左右中央側）から左側（基板ケース１の左右外側）へ順次に並べられる。
なお、本実施形態においては、ケース本体２と蓋部材３とを固定する場合、３つのかしめ部１０のうち、隣り合う第一かしめ部１００および第二かしめ部２００の２つ（２種類）のかしめ部を用いる。第三かしめ部３００は、第一かしめ部１００および第二かしめ部２００の予備のかしめ部とする。
【００３５】
次に、第一かしめ部１００および第二かしめ部２００の構成について説明する。
なお、第三かしめ部３００の構成は、第一かしめ部１００と略同様の構成であって、第二かしめ部２００を中心として左右対称な構成であるので、各構成部材に図面にて第一かしめ部１００の説明で用いた符号と同一の符号を付すことで、その説明を省略する。
【００３６】
まず、第一かしめ部１００の構成について、図５から図１１を用いて説明する。
【００３７】
第一かしめ部１００は、図５に示すように、第一本体側かしめ部１２０と、第一蓋側かしめ部１３０とを備える。第一かしめ部１００は、その長手方向をケース本体２と蓋部材３との対向方向である前後方向として、３つのかしめ部１０中で最も右側に配置される。
【００３８】
第一本体側かしめ部１２０は、図７から図１１に示すように、第一かしめ部１００の後側に配置される。第一本体側かしめ部１２０は、ケース本体２に設けられる。第一本体側かしめ部１２０は、第一本体側筒部１２１と、第一本体側収容部１２２と、第一本体側枠体１２３とを備える。
【００３９】
第一本体側筒部１２１は、前側が開口され、後側が閉塞部１２５により閉じられた有底の略円筒状に形成される。第一本体側筒部１２１は、その軸心方向を前後方向として、ケース本体２の天板（基板ケース１の天板）よりも上方に配置される。第一本体側筒部１２１は、ケース本体２の天板に固定リブ１２１ａを介して固定される。
【００４０】
第一本体側収容部１２２は、図７に示すように、前後側および下側が開口された略筒状に形成される。第一本体側収容部１２２は、ケース本体２の天板の上方において、その軸心方向を前後方向として、第一本体側筒部１２１のすぐ前に配置され、第一本体側筒部１２１と前後に連続するように設けられる。第一本体側収容部１２２は、上部の外周形状が上方へ凸となるように円弧状であって、第一本体側筒部１２１よりも大径に形成されて、第一本体側筒部１２１と連通される。第一本体側収容部１２２は、ケース本体２の天板に直接固定される。
【００４１】
第一本体側枠体１２３は、図７に示すように、前後側および下側が開口された略四角筒状に形成される。第一本体側枠体１２３は、ケース本体２の天板の上方において、その軸心方向を前後方向として、第一本体側収容部１２２のすぐ前に配置されて、第一本体側収容部１２２と前後に連続するように設けられる。第一本体側枠体１２３は、第一本体側収容部１２２よりも大径に形成されて、第一本体側収容部１２２と連通される。第一本体側枠体１２３は、ケース本体２の天板に直接固定される。
【００４２】
こうして、第一本体側かしめ部１２０は、第一本体側筒部１２１と、第一本体側収容部１２２と、第一本体側枠体１２３とを後方から前方へ向けて順に連続させて構成され、図９（ｂ）に示すように、全体として軸心方向を前後方向とする略筒状に形成される。ここで、第一本体側かしめ部１２０は、第一本体側筒部１２１、第一本体側収容部１２２および第一本体側枠体１２３の形状に応じて、後方から前方へ向けて段階的に拡径しながら、蓋部材３との対向側である前側を開口するとともに、蓋部材３との反対向側である後側を閉じ、さらには前部の下側を開口する形状となる。
【００４３】
第一蓋側かしめ部１３０は、図６、図８から図１１に示すように、第一かしめ部１００の前側に配置される。第一蓋側かしめ部１３０は、その後側部分を第一本体側かしめ部１２０内に嵌め込むことができるように構成されて、蓋部材３に設けられる。第一蓋側かしめ部１３０は、第一蓋側収容部１３２と、第一蓋側筒部１３１とを備える。
【００４４】
第一蓋側収容部１３２は、前後側が開口された略四角筒状に形成される。第一蓋側収容部１３２は、その軸心方向を前後方向として、蓋部材３の天板（基板ケース１の天板）よりも上方に配置される。
第一蓋側収容部１３２は、複数（本実施形態においては３つ）の蓋側連結片１３５を介して蓋部材３の天板に連結される。各蓋側連結片１３５は、ニッパー等の工具により切断可能な部材である。
本実施形態においては、図６および図９（ａ）に示すように、第一蓋側収容部１３２の底板の前部（前方から視認しやすい位置）に２つの蓋側連結片１３５が左右方向に適宜な間隔をあけて配置されるとともに、底板の後部に１つの蓋側連結片１３５が配置される。そして、第一蓋側収容部１３２が３つの蓋側連結片１３５を介して蓋部材３の天板に連結された状態で、これら全ての蓋側連結片１３５が切断されると、第一蓋側収容部１３２が蓋部材３の天板と分離して蓋部材３から外れるようになっている。
ここで、第一蓋側収容部１３２は、第一本体側かしめ部１２０の第一本体側枠体１２３の内周形状に合わせた略四角筒状に形成される。その上で、図１０および図１１に示すように、第一蓋側収容部１３２の外径は、第一本体側枠体１２３の内径よりも若干小さく、かつ第一本体側収容部１２２の内径よりも大きく設定される。こうして、第一蓋側収容部１３２は、その後側部分を第一本体側枠体１２３内に嵌め込むことができるように構成される。
また、第一蓋側収容部１３２の天板の前部には、第一蓋側切り欠け部１３７が設けられる。第一蓋側切り欠け部１３７は、前後方向に細長い長方形状であって、第一蓋側収容部１３２の天板を前端部から後方へ向けて切り欠くように形成される。第一蓋側切り欠け部１３７は、第一かしめ部１００において後述する嵌入部材５０が嵌入する側の開口部となる、第一蓋側収容部１３２の前側の開口部（前端部）に形成されるものである。また、第一蓋側収容部１３２の左右の側板には、それぞれその後端部を切り欠くようにして、上下方向に細長い長方形状の開口部１３６が形成される。
【００４５】
第一蓋側筒部１３１は、前後側ともに開口された略円筒状に形成される。第一蓋側筒部１３１は、蓋部材３の天板の上方において、その軸心方向を前後方向として、第一蓋側収容部１３２のすぐ後に左右の開口部１３６を閉塞しないように配置されて、第一蓋側収容部１３２と前後に連続するように設けられる。
第一蓋側筒部１３１は、第一蓋側収容部１３２の内径よりも小径に形成され、第一蓋側収容部１３２と連通される。第一蓋側筒部１３１は、その前端部を第一蓋側収容部１３２の後端部内に嵌入することにより、この第一蓋側収容部１３２を介して基板ケース１（さらに詳細には、蓋部材３）の天板に連結される。
ここで、第一蓋側筒部１３１は、第一本体側かしめ部１２０の第一本体側収容部１２２の内周形状に合わせた略円筒状に形成される。その上で、図１０および図１１に示すように、第一蓋側筒部１３１の外径は、第一本体側収容部１２２の内径よりも若干小さく、かつ第一本体側筒部１２１の内径よりも大きく設定される。また、第一蓋側筒部１３１の内径は、第一本体側筒部１２１の内径と同程度に設定される。こうして、第一蓋側筒部１３１は、そのすべての部分を、第一本体側収容部１２２内に嵌め込むことができるように構成される。
【００４６】
こうして、第一蓋側かしめ部１３０は、第一蓋側収容部１３２および第一蓋側筒部１３１を前後に連続させて構成され、図９（ａ）に示すように、全体として軸心方向を前後方向とする略筒状に形成される。ここで、第一蓋側かしめ部１３０は、第一蓋側収容部１３２および第一蓋側筒部１３１に応じて、前方から後方へ向けて段階的に縮径しながら、ケース本体２との反対向側である前側を開口するとともに、ケース本体２との対向側である後側を開口する形状となる。
【００４７】
このような構成において、前述のように基板ケース１を組み立てる場合に、蓋部材３の上部をケース本体２に嵌合させたまま上方へスライド移動させるとき、蓋部材３の第一蓋側かしめ部１３０が、蓋部材３のスライド移動にともなって上方へ向けて移動し、ケース本体２の第一本体側かしめ部１２０に下方から嵌め込まれる。具体的には、第一蓋側収容部１３２の後端部が第一本体側枠体１２３内に嵌め込まれ、第一蓋側筒部１３１の全部が第一本体側収容部１２２内に嵌め込まれる。この際、第一蓋側収容部１３２は第一本体側収容部１２２内に嵌め込まれず、第一蓋側筒部１３１は第一本体側筒部１２１内に嵌め込まれない。こうして、第一かしめ部１００は、ケース本体２と蓋部材３とが組み付けられたときに、第一蓋側かしめ部１３０の後部を第一本体側かしめ部１２０の前部内に下方から嵌め込んで、第一蓋側かしめ部１３０が第一本体側かしめ部１２０と前後に略一直線状に並ぶように形成される。
【００４８】
第一かしめ部１００内においては、第一蓋側筒部１３１が第一本体側筒部１２１の前方で第一本体側筒部１２１と略同一軸心上に配置され、第一本体側筒部１２１と連通されることになる。つまり、第一かしめ部１００は、最前部に位置する第一蓋側収容部１３２から最後部に位置する第一本体側筒部１２１までが連通され、全体として軸心方向を前後方向とする有底の略筒状に形成される。ここで、第一かしめ部１００は、後側に閉塞部１２５を有し、前側を開口する形状となる。
【００４９】
次に、第二かしめ部２００の構成について、図５から図１１を用いて説明する。
【００５０】
第二かしめ部２００は、図５に示すように、第二本体側かしめ部２２０と、第二蓋側かしめ部２３０とを備える。第二かしめ部２００は、その長手方向をケース本体２と蓋部材３との対向方向である前後方向として、３つのかしめ部１０の真中で、第一かしめ部１００の左隣に配置される。
【００５１】
第二本体側かしめ部２２０は、図７から図１１に示すように、第二かしめ部２００の後側に配置される。第二本体側かしめ部２２０は、ケース本体２に設けられる。第二本体側かしめ部２２０は、第二本体側収容部２２２と、第二本体側筒部２２１と、第二本体側枠体２２３とを備える。
【００５２】
第二本体側収容部２２２は、前後側が開口された略四角筒状に形成される。第二本体側収容部２２２は、その軸心方向を前後方向として、ケース本体２の天板（基板ケース１の天板）よりも上方に配置される。
第二本体側収容部２２２は、複数（本実施形態においては、２つ）の本体側連結片２２５を介してケース本体２の天板に連結される。また、第二本体側収容部２２２は、後述する第二本体側枠体２２３とも１つの本体側連結片２２５を介して連結される。各本体側連結片２２５は、ニッパー等の工具により切断可能な部材である。
本実施形態において、図７（ｂ）に示すように、第二本体側収容部２２２の底板の後部（後方から視認しやすい位置）に２つの本体側連結片２２５が左右方向に適宜な間隔をあけて配置されるとともに、天板の前部に１つの本体側連結片２２５が配置される。そして、第二本体側収容部２２２が三つの本体側連結片２２５を介してケース本体２の天板に連結された状態で、これら全ての本体側連結片２２５が切断されると、第二本体側収容部２２２は、ケース本体２の天板および第二本体側枠体２２３から分離してケース本体２から外れるようになっている。
また、第二本体側収容部２２２の天板の後部には、第二本体側切り欠け部２２７が設けられる。第二本体側切り欠け部２２７は、前後方向に細長い長方形状であって、第二本体側収容部２２２の天板を後端部から前方へ向けて切り欠くように形成される。第二本体側切り欠け部２２７は、第二かしめ部２００において後述する嵌入部材５０が嵌入する側の開口部となる、第二本体側収容部２２２の後側の開口部（後端部）に形成されるものである。なお、本実施形態においては、第二本体側収容部２２２の第二本体側切り欠け部２２７の内径、即ち前後および左右方向の切り欠け幅は、第一蓋側収容部１３２の第一蓋側切り欠け部１３７の内径、即ち前後および左右方向の切り欠け幅と略同一となるように形成される。また、第二本体側収容部２２２の左右の側板には、それぞれその前端部を切り欠くようにして、上下方向に細長い長方形状の開口部２２６が形成される。
【００５３】
第二本体側筒部２２１は、前後側ともに開口された略円筒状に形成される。第二本体側筒部２２１は、ケース本体２の天板の上方において、その軸心方向を前後方向として、第二本体側収容部２２２のすぐ前に左右の開口部２２６を閉塞しないように配置されて、第二本体側収容部２２２と前後に連続するように設けられる。
第二本体側筒部２２１は、第二本体側収容部２２２の内径よりも小径の略円筒形状に形成され、第二本体側収容部２２２と連通される。第二本体側筒部２２１は、その後端部を第二本体側収容部２２２の前端部内に嵌入することにより、第二本体側収容部２２２を介してケース本体２の天板に連結される。
【００５４】
第二本体側枠体２２３は、前後側および下側が開口された略四角筒状に形成される。第二本体側枠体２２３は、ケース本体２の天板の上方において、第二本体側筒部２２１の外周部を上方から覆うように配置される。第二本体側枠体２２３は、ケース本体２の天板に直接固定され、ケース本体２内と連通される。
また、図１０および図１１に示すように、第二本体側枠体２２３の内径の前後、左右および上下方向の長さは、第二本体側筒部２２１の外径の前後、左右および上下方向の長さよりも長く設定される。また、第二本体側枠体２２３の内径の左右および上下方向の長さは、第二本体側収容部２２２の外径の左右および上下方向の長さよりも長く設定される。そして、第二本体側枠体２２３は、その内部に第二本体側筒部２２１の全部と、第二本体側収容部２２２の前端部を収容可能に構成される。
また、第二本体側枠体２２３は、前述したように、本体側連結片２２５を介して第二本体側収容部２２２と連結される。本実施形態において、第二本体側枠体２２３の天板の後部に、（第二本体側収容部２２２の天板の前部と連結される）１つの本体側連結片２２５が配置される。
また、第二本体側枠体２２３の外径の前後および上下方向の長さは、第一かしめ部１００における第一本体側かしめ部１２０の第一本体側枠体１２３の外径の前後および上下方向の長さよりも長く設定される。したがって、平面視で第二本体側枠体２２３の前後端部は、第一本体側枠体１２３の前後端部よりも外方（前後方）に位置し、また正面視で第二本体側枠体２２３の天板は、第一本体側枠体１２３の天板よりも上方へ突出するように構成される。
【００５５】
こうして、第二本体側かしめ部２２０は、第二本体側収容部２２２と、第二本体側筒部２２１とを後方から前方へ向けて順に連続させるとともに、第二本体側枠体２２３を第二本体側収容部２２２および第二本体側筒部２２１の周囲に配置して構成され、図９（ｂ）に示すように、全体として軸心方向を前後方向とする略二重筒状に形成される。ここで、第二本体側かしめ部２２０は、内側の筒状部では第二本体側収容部２２２および第二本体側筒部２２１の形状に応じて、後方から前方へ向けて段階的に縮径しながら、蓋部材３との対向側である前側を開口するとともに、蓋部材３との反対向側である後側を開口する形状となり、外側の筒状部では第二本体側枠体２２３の形状に応じて、蓋部材３との対向側である前側を開口するとともに、蓋部材３との反対向側である後側を開口し、さらに下側を開口する形状となる。
【００５６】
第二蓋側かしめ部２３０は、図６、図８から図１１に示すように、第二かしめ部２００の前側に配置される。第二蓋側かしめ部２３０は、蓋部材３に設けられる。第二蓋側かしめ部２３０は、第二蓋側枠体２３３と、第二蓋側収容部２３２と、第二蓋側筒部２３１とを備える。
【００５７】
第二蓋側筒部２３１は、図６に示すように、前側が閉塞部２３５により閉じられ、後側が開口された有蓋の略円筒状に形成される。第二蓋側筒部２３１は、その軸心方向を前後方向として、蓋部材３の天板（基板ケース１の天板）よりも上方に配置される。
【００５８】
第二蓋側収容部２３２は、前後側および上側が開口された略筒状に形成される。第二蓋側収容部２３２は、蓋部材３の天板の上方において、その軸心方向を前後方向として、第二蓋側筒部２３１のすぐ後に配置され、第二蓋側筒部２３１と前後に連続するように設けられる。第二蓋側収容部２３２は、下部の外周形状が下方へ凸となるように第二蓋側筒部２３１よりも大径に形成され、第二蓋側筒部２３１と連通される。
また、図１０および図１１に示すように、第二蓋側収容部２３２の内径の前後、左右および上下方向の長さは、第二本体側かしめ部２２０の第二本体側筒部２２１の外径の前後、左右および上下方向の長さより若干長く設定される。また、第二蓋側収容部２３２の外径の前後、左右および上下方向の長さは、第二本体側かしめ部２２０の第二本体側枠体２２３の内径の前後、左右および上下方向の長さより短く設定される。そして、第二蓋側収容部２３２の全部が第二本体側枠体２２３内に収容可能に構成されるとともに、第二本体側筒部２２１の略全部が第二蓋側収容部２３２に嵌め込み可能に構成される。
【００５９】
第二蓋側枠体２３３は、前後側および上側が開口された略四角筒状に形成される。第二蓋側枠体２３３は、蓋部材３の天板の上方において、その軸心方向を前後方向として、第二蓋側収容部２３２のすぐ後に配置されて、第二蓋側収容部２３２と前後に連続するように設けられる。第二蓋側枠体２３３は、第二蓋側収容部２３２よりも大径に形成され、第二蓋側収容部２３２と連通される。第二蓋側枠体２３３は、蓋部材３の天板に直接固定される。
また、図１０および図１１に示すように、第二蓋側枠体２３３の外径の前後および上下方向の長さは、第二本体側かしめ部２２０の第二本体側枠体２２３の内径の前後および上下方向の長さより若干短く設定される。そして、第二蓋側枠体２３３が第二本体側枠体２２３内に嵌め込み可能に構成される。
【００６０】
こうして、第二蓋側かしめ部２３０は、第二蓋側筒部２３１と、第二蓋側収容部２３２と、第二蓋側枠体２３３とを前方から後方へ向けて順に連続させて構成され、全体として軸心方向を前後方向とする略筒状に形成される。ここで、第二蓋側かしめ部２３０は、第二蓋側筒部２３１、第二蓋側収容部２３２および第二蓋側枠体２３３の形状に応じて、前方から後方へ向けて段階的に拡径しながら、ケース本体２との反対向側である前側を閉じるとともに、ケース本体２との対向側である後側を開口する形状となる。
【００６１】
このような構成において、前述のように基板ケース１を組み立てる場合に、蓋部材３の上部をケース本体２に嵌合させたまま上方へスライド移動させるとき、蓋部材３の第二蓋側かしめ部２３０が、蓋部材３のスライド移動にともなって上方へ向けて移動し、図１０および図１１に示すように、ケース本体２の第二本体側かしめ部２２０に下方から嵌め込まれる。具体的には、第二蓋側収容部２３２内に第二本体側筒部２２１の全部が嵌めこまれ、第二蓋側収容部２３２が第二本体側枠体２２３に収容される。そして、第二本体側収容部２２２の前端部が第二蓋側枠体２３３に嵌め込まれる。この際、第二本体側収容部２２２は第二蓋側収容部２３２内に嵌め込まれず、第二本体側筒部２２１は第二蓋側筒部２３１内に嵌め込まれない。こうして、第二かしめ部２００は、ケース本体２と蓋部材３とが組み付けられたときに、第二蓋側かしめ部２３０の後部を第二本体側かしめ部２２０の前部内に下方から嵌め込んで、第二蓋側かしめ部２３０が第二本体側かしめ部２２０と前後に略一直線状に並ぶように形成される。
【００６２】
また、第二かしめ部２００内においては、第二蓋側筒部２３１が第二本体側筒部２２１の前方で第二本体側筒部２２１と略同一軸心上に配置され、第二本体側筒部２２１と連通されることになる。つまり、第二かしめ部２００は、最後部に位置する第二本体側収容部２２２から最前部に位置する第二蓋側筒部２３１までが連通され、全体として軸心方向を前後方向とする有蓋の略筒状に形成される。ここで、第二かしめ部２００は、前側に閉塞部２３５を有し、後側を開口する形状となる。
【００６３】
次に、第一かしめ部１００および第二かしめ部２００に嵌入される嵌入部材５０の構成について、図１２を用いて説明する。
【００６４】
嵌入部材５０は、スプリングピン５１と、組み付けピン５２とを組み付けて形成される。嵌入部材５０の軸心方向の幅は、第一本体側かしめ部１２０の前後幅よりも若干小さく設定される。
スプリングピン５１は、鉄鋼やばね鋼などから構成される略円筒状の部材である。スプリングピン５１の外周面の一部には、切り込み５１ａが軸心方向に蛇行しながら延びるように形成される。スプリングピン５１の自然状態における外径は、第一本体側筒部１２１および第一蓋側筒部１３１の内径よりも若干大きく設定される。スプリングピン５１は弾性を有しており、スプリングピン５１の外周側から半径方向内側（切り込み５１ａの幅が小さくなる方向）に力がかかると、力がかかった方向へ弾性変形する。スプリングピン５１は、半径方向内側へ弾性変形した状態では、半径方向外側（切り込み５１ａの幅が大きくなる方向）への復元力を有する。
組み付けピン５２は、ＡＢＳ等の合成樹脂材などから構成されて可撓性を有する。組み付けピン５２は、略四角板状に形成された板状片５３の中央部から挿入軸５４を延出させて形成される。板状片５３の直径は、スプリングピン５１の外径よりも大きく、かつ第一蓋側収容部１３２および第二本体側収容部２２２の内径よりも若干大きく設定される。そして、組み付けピン５２は、挿入軸５４をスプリングピン５１の一側の開口部から挿入して、板状片５３をスプリングピン５１の一側端部に固定することにより、スプリングピン５１と組み付けられる。
【００６５】
次に、ケース本体２と蓋部材３との固定について、図１３を用いて説明する。
【００６６】
ケース本体２と蓋部材３との固定は、嵌入部材５０が第一かしめ部１００および第二かしめ部２００にそれぞれ嵌入されて、第一かしめ部１００の第一本体側かしめ部１２０と第一蓋側かしめ部１３０とがかしめられるとともに、第二かしめ部２００の第二本体側かしめ部２２０と第二蓋側かしめ部２３０とがかしめられることによって行われる。
【００６７】
具体的には、基板ケース１が組み立てられる場合に、ケース本体２と蓋部材３とが組み付けられたとき、かしめ部１０の左側の組においては、第一蓋側かしめ部１３０が、その後部を第一本体側かしめ部１２０の前部に嵌め込んだ状態で、第一本体側かしめ部１２０と連通しつつ前後に略一直線状に並ぶように組み付けられて、第一かしめ部１００が全体として軸心方向を前後方向とする有底の略筒状に形成される。
そして、嵌入部材５０が、スプリングピン５１を後側として、第一かしめ部１００内にその前側の開口部、即ち第一蓋側収容部１３２の前側の開口部から嵌入される。
この際、嵌入部材５０は、板状片５３の直径が第一蓋側収容部１３２の内径よりも若干大きく設定されることから、板状片５３の左右の外周部を曲げて第一蓋側収容部１３２の内周面に当接させながら（板状片５３の左右側端部が前方へ向けて反り返りながら）、第一かしめ部１００内に嵌入される。
そして、嵌入部材５０のスプリングピン５１の後部が第一蓋側筒部１３１内を通過して第一本体側筒部１２１内に至ると、板状片５３が左右の外周部の曲げを戻して（つまり、板状片５３の左右側端部の前方へ向けての反り返りがなくなり、板状片５３の形状が復元する）、第一蓋側収容部１３２の左右側壁の開口部１３６に嵌め込まれる。こうして、嵌入部材５０が第一かしめ部１００に対して抜け止めされる。
【００６８】
嵌入部材５０の第一かしめ部１００への嵌入時、第一本体側筒部１２１の内径および第一蓋側筒部１３１の内径は、スプリングピン５１の自然状態における外径よりも若干小さく設定されていることから、第一本体側筒部１２１内および第一蓋側筒部１３１内に嵌入されたスプリングピン５１は、径が縮小する方向（半径方向内側）へ弾性変形する。
この状態においては、嵌入部材５０のスプリングピン５１の復元力、つまりスプリングピン５１の半径方向外側へ向けられた力と、第一本体側筒部１２１および第一蓋側筒部１３１のそれぞれの反力とによって、スプリングピン５１の外周面と第一本体側筒部１２１および第一蓋側筒部１３１の内周面との間に摩擦力が発生する。
【００６９】
このような構成により、嵌入部材５０が第一かしめ部１００に第一本体側筒部１２１と第一蓋側筒部１３１との間に跨った状態で保持されて、第一本体側かしめ部１２０と第一蓋側かしめ部１３０とがかしめられ、ケース本体２と蓋部材３とが固定される。
また、嵌入部材５０は、第一本体側筒部１２１と第一蓋側筒部１３１との間に跨った状態から前方へ向けて簡単には移動しなくなる。そのため、一旦第一本体側かしめ部１２０と第一蓋側かしめ部１３０とがかしめられた後は、嵌入部材５０を第一かしめ部１００から抜き取って、ケース本体２と蓋部材３との固定を容易に解除することはできないようになっている。
【００７０】
また、基板ケース１が組み立てられる場合に、ケース本体２と蓋部材３とが組み付けられたとき、かしめ部１０の左側の組においては、第二蓋側かしめ部２３０が、その後部を第二本体側かしめ部２２０の前部に嵌め込んだ状態で、第二本体側かしめ部２２０と連通しつつ前後に略一直線状に並ぶように組み付けられて、第二かしめ部２００が全体として軸心方向を前後方向とする有蓋の略筒状に形成される。
そして、嵌入部材５０が、スプリングピン５１を前側として、第二かしめ部２００内にその後側の開口部、即ち第二本体側収容部２２２の後側の開口部から嵌入される。
この際、嵌入部材５０は、板状片５３の直径が第二本体側収容部２２２の内径よりも若干大きく設定されることから、板状片５３の左右の外周部を曲げて第二本体側収容部２２２の内周面に当接させながら（板状片５３の左右側端部が後方へ向けて反り返りながら）、第二かしめ部２００内に嵌入される。
そして、嵌入部材５０のスプリングピン５１の前部が第二本体側筒部２２１内を通過して第二蓋側筒部２３１内に至ると、板状片５３が左右の外周部の曲げを戻して（つまり、板状片５３の左右側端部の後方へ向けての反り返りがなくなり、板状片５３の形状が復元する）、第二本体側収容部２２２の左右側壁の開口部２２６に嵌め込まれる。こうして、嵌入部材５０が第二かしめ部２００に対して抜け止めされる。
【００７１】
嵌入部材５０の第二かしめ部２００への嵌入時、第二本体側筒部２２１の内径および第二蓋側筒部２３１の内径は、スプリングピン５１の自然状態における外径よりも若干小さく設定されていることから、第二本体側筒部２２１および第二蓋側筒部２３１に嵌入されたスプリングピン５１は、径が縮小する方向（半径方向内側）へ弾性変形する。
この状態においては、嵌入部材５０のスプリングピン５１の復元力、つまりスプリングピン５１の半径方向外側へ向けられた力と、第二本体側筒部２２１および第二蓋側筒部２３１のそれぞれの反力とによって、スプリングピン５１の外周面と第二本体側筒部２２１および第二蓋側筒部２３１の内周面との間に摩擦力が発生する。
【００７２】
このような構成により、嵌入部材５０が第二かしめ部２００に第二本体側筒部２２１と第二蓋側筒部２３１との間に跨った状態で保持されて、第二本体側かしめ部２２０と第二蓋側かしめ部２３０とがかしめられ、ケース本体２と蓋部材３とが固定される。
また、嵌入部材５０は、第二本体側筒部２２１と第二蓋側筒部２３１との間に跨った状態から後方へ向けて簡単には移動しなくなる。そのため、一旦第二本体側かしめ部２２０と第二蓋側かしめ部２３０とがかしめられた後は、嵌入部材５０を第二かしめ部２００から抜き取って、ケース本体２と蓋部材３との固定を容易に解除することはできないようになっている。
【００７３】
次に、蓋部材３とケース本体２との固定の解除について説明する。
【００７４】
蓋部材３とケース本体２と固定の解除は、嵌入部材５０を第一かしめ部１００および第二かしめ部２００から抜き取らずに、第一かしめ部１００の第一蓋側かしめ部１３０を蓋部材３に連結させる蓋側連結片１３５と、第二かしめ部２００の第二本体側かしめ部２２０をケース本体２に連結させる本体側連結片２２５とを切断することによって行われる。
【００７５】
具体的には、基板ケース１が組み立てられた後、第一かしめ部１００側の蓋側連結片１３５がニッパー等の工具により切断されると、第一かしめ部１００においては、第一蓋側かしめ部１３０の第一蓋側収容部１３２が蓋部材３の天板と分離して蓋部材３から外れる。
このとき、第一蓋側かしめ部１３０の第一蓋側筒部１３１が第一本体側筒部１２１内に嵌め込まれた状態で、嵌入部材５０のスプリングピン５１が第一本体側筒部１２１内および第一蓋側筒部１３１内に嵌入されるとともに、嵌入部材５０の板状片５３が第一蓋側収容部１３２の開口部１３６に嵌め込まれているため、第一蓋側かしめ部１３０がケース本体２に第一本体側かしめ部１２０を介して連結されている。しかし、第一蓋側収容部１３２が蓋部材３から外れているため、第一かしめ部１００（第一本体側かしめ部１２０および第一蓋側かしめ部１３０）がケース本体２のみに設けられた状態となって、ケース本体２と蓋部材３との固定が解除される。
【００７６】
また、基板ケース１が組み立てられた後、第二かしめ部２００側の本体側連結片２２５がニッパー等の工具により切断されると、第二かしめ部２００においては、第二本体側かしめ部２２０の第二本体側収容部２２２が第二本体側枠体２２３およびケース本体２の天板と分離して蓋部材３から外れる。
この状態においては、第二本体側かしめ部２２０の第二本体側筒部２２１が第二蓋側収容部２３２内に嵌め込まれた状態で、嵌入部材５０のスプリングピン５１が第二蓋側筒部２３１内および第二本体側筒部２２１内に嵌入されるとともに、嵌入部材５０の板状片５３が第二本体側収容部２２２の開口部２２６に嵌め込まれているため、第二本体側かしめ部２２０が蓋部材３に第二蓋側かしめ部２３０を介して連結されている。しかし、第二本体側収容部２２２がケース本体２から外れているため、第二かしめ部２００（第二本体側かしめ部２２０および第二蓋側かしめ部２３０）が蓋部材３のみに設けられた状態となって、ケース本体２と蓋部材３との固定が解除される。
【００７７】
次に、基板ケース１へのかしめ部カバー５の取り付け構成について説明する。
【００７８】
かしめ部カバー５は、基板ケース１の上端部に係止されて取り付けられる。
まず、かしめ部カバー５を基板ケース１に係止する該基板ケース１の係止片８０の構成について説明する。
【００７９】
係止片８０は、図６、図７および図１４に示すように、細長い略板状形状に形成される部材である。係止片８０は、複数設けられ、各係止片８０は、長手方向を上下方向として基板ケース１の上端部から上方へ向けて突設される。係止片８０の下端部は、基板ケース１の天板（さらに詳細には、前後に連続する蓋部材３の天板の前側部分およびケース本体２の天板）に接続され、係止片８０と基板ケース１とが一体的に形成されている。
【００８０】
本実施形態において、係止片８０は、２種類設けられる。具体的には、図１４に示すように、かしめ部カバー５が基板ケース１に取り付けられた状態において、かしめ部カバー５の内側に配置される内側係止片８２と、かしめ部カバー５の外側に配置される外側係止片８１と、である。内側係止片８２は、かしめ部カバー５を内側から係止し、外側係止片８１は、かしめ部カバー５を外側から係止する。つまり、かしめ部カバー５は、内側係止片８２および外側係止片８１により内側および外側から係止されて基板ケース１に取り付けられる。
【００８１】
外側係止片８１は、図６および図７に示すように、本実施形態において、合計２つ設けられる。各外側係止片８１は、基板ケース１の天板（さらに詳細には、ケース本体２の天板）において、基板ケース１に取り付けられた状態のかしめ部カバー５の左右両外側に、相互に対向するように配置される。各外側係止片８１の先端部には、かしめ部カバー５側へ向けて突出した爪部８３が形成される。外側係止片８１の爪部８３は、かしめ部カバー５の左右両側端部にそれぞれ設けられた係止片受部６６に係止される（図１７参照）。
なお、外側係止片８１は、通常の使用のほかに一旦基板ケース１に取り付けられたかしめ部カバー５が検査等の理由により取り外された（基板ケース１に対する係止を解除された）後、一時的に（新たな基板ケース１と交換するまでの間）そのかしめ部カバー５を基板ケース１に再び取り付けておくために使用される。
【００８２】
内側係止片８２は、図６および図７に示すように、本実施形態において、合計６つ設けられる。各内側係止片８２は、基板ケース１の天板（さらに詳細には、ケース本体２の天板および蓋部材３の天板）において、基板ケース１に取り付けられた状態のかしめ部カバー５の内側であって、後述するかしめ部カバー５に設けられる合計６つの係止片挿入体７０に対応する位置に、それぞれ配置される。図１４に示すように、内側係止片８２は、上側へ行くとともに略板状形状の部材の厚みが薄くなり（テーパ状となり）、上端部には、前記係止片挿入体７０内に設けられた係止片受部７９側（図２０参照）へ向けて突出した爪部８４が形成される。爪部８４は、下側へ行くとともに突出した側へ向けて拡径され、その底面は略水平面となる。内側係止片８２の爪部８４は、かしめ部カバー５を基板ケース１に取り付ける際に、係止片挿入体７０の前記係止片受部７９に係止される。
【００８３】
次に、かしめ部カバー５の構成について、図１５から図２０を用いてさらに詳細に説明する。
【００８４】
かしめ部カバー５は、天板６１と、前板６２と、背板６３と、左側板６４と、右側板６５と、により下側が開口された略直方体の箱状に形成される。かしめ部カバー５は、基板ケース１に設けられる外側係止片８１および内側係止片８２により係止されて基板ケース１に取り付けられる。
【００８５】
天板６１は、かしめ部カバー５の上部を成す略板状の部材である。天板６１は、左右方向に細長い長方形状に形成される。天板６１の前後中央部には、上方へ向けて突出される突出部６１ａがかしめ部カバー５の長手方向、つまり左右方向にわたって設けられる。突出部６１ａは、左右方向に細長い長方形状に形成される。天板６１は、図１６に示すように、側面断面視で中央部が上方へ向けて突出した略凸状に形成される。
また、天板６１には、複数のリブ１５が設けられる。リブ１５は、かしめ部カバー５が基板ケース１に取り付けられた状態で、第一かしめ部１００の第一蓋側切り欠け部１３７および第二かしめ部２００の第二本体側切り欠け部２２７に挿入されるものである。リブ１５は、かしめ部カバー５の天板６１から内側方向へ突設される。
なお、リブ１５の構成についての詳細な説明は後述する。
【００８６】
前板６２は、かしめ部カバー５の前部を成す略板状の部材である。前板６２は、左右方向に細長い長方形状に形成される。前板６２の左右中央部からやや左側の下端部には、左右一対の貫通孔７５が設けられる。左右一対の貫通孔７５は、前板６２を前後方向に貫通し、正面視で略正方形状に形成される。かしめ部カバー５における左右一対の貫通孔７５が形成される部分の内側には、内側係止片８２が挿入される係止片挿入体７０が形成される。係止片挿入体７０の内部には、この係止片挿入体７０に対応して挿入された内側係止片８２の爪部８４と係止される係止片受部７９が設けられる。
【００８７】
背板６３は、かしめ部カバー５の後部を成す略板状の部材である。背板６３は、左右方向に細長い長方形状に形成される。背板６３の左右中央部からやや右側の下端部には、左右一対の貫通孔７５が設けられる。左右一対の貫通孔７５は、背板６３を前後方向に貫通し、背面視で略正方形状に形成される。かしめ部カバー５における左右一対の貫通孔７５が形成される部分の内側には、内側係止片８２が挿入される係止片挿入体７０が形成される。係止片挿入体７０の内部には、この係止片挿入体７０に対応して挿入された内側係止片８２の爪部８４と係止される係止片受部７９が設けられる。
【００８８】
左側板６４は、かしめ部カバー５の左部を成す略板状の部材である。左側板６４は、前後方向にやや細長い略長方形状であって前後の上端部が側面視で略正方形状に切り欠けられた形状（前後中央部が上方へ突出した形状）に形成される。かしめ部カバー５における左側板６４の左側方には、内側係止片８２が挿入される係止片挿入体７０が形成される。係止片挿入体７０は、下側が開口された略四角筒状に形成される。係止片挿入体７０の左側板の下端部には、前後一対の貫通孔７５が設けられる。前後一対の貫通孔７５は、係止片挿入体７０の左側板を左右方向に貫通し、側面視で略正方形状に形成される。係止片挿入体７０の内部には、この係止片挿入体７０に対応して挿入された内側係止片８２の爪部８４と係止される係止片受部７９が設けられる。左側板６４において係止片挿入体７０は２つ設けられ、前後方向に適宜な間隔をあけて配置される。また、前後に配置された係止片挿入体７０の間には、基板ケース１の外側係止片８１の爪部８３と係止される係止片受部６６が設けられる。係止片受部６６は、左側方へ向けて突出して形成される。
【００８９】
右側板６５は、かしめ部カバー５の右部を成す略板状の部材である。右側板６５は、前後方向にやや細長い略長方形状であって前後の上端部が側面視で略正方形状に切り欠けられた形状（前後中央部が上方へ突出した形状）に形成される。かしめ部カバー５における右側板６５の右側方には、内側係止片８２が挿入される係止片挿入体７０が形成される。係止片挿入体７０は、下側が開口された略四角筒状に形成される。係止片挿入体７０の右側板の下端部には、前後一対の貫通孔７５が設けられる。前後一対の貫通孔７５は、係止片挿入体７０の右側板を左右方向に貫通し、側面視で略正方形状に形成される。係止片挿入体７０の内部には、この係止片挿入体７０に対応して挿入された内側係止片８２の爪部８４と係止される係止片受部７９が設けられる。なお、右側板６５において係止片挿入体７０は２つ設けられ、前後方向に適宜な間隔をあけて配置される。また、前後に配置された係止片挿入体７０の間には、基板ケース１の外側係止片８１の爪部８３と係止される係止片受部６６が設けられる。係止片受部６６は、右側方へ向けて突出して形成される。
【００９０】
以上のように、かしめ部カバー５は、天板６１と、前板６２と、背板６３と、左側板６４と、右側板６５と、により下側が開口された略直方体の箱状に形成されるとともに、天板６１を除く全ての板（つまり前板６２と、背板６３と、左側板６４と、右側板６５と）に、基板ケース１の内側係止片８２が挿入される係止片挿入体７０が１又は２つ形成されて、合計６つの係止片挿入体７０を備えている。
【００９１】
また、図１７および図１９に示すように、かしめ部カバー５の内径の左右方向の長さは、基板ケース１の上端部における左右に配置された６つのかしめ部１０のうち、最右部に配置されるかしめ部１０の右側端部から最左部に配置されるかしめ部１０の左側端部までの長さよりも若干長く設定される。また、かしめ部カバー５の内径の前後方向の長さは、かしめ部１０の前後方向の長さよりも若干長く、つまり基板ケース１の天板の前後方向の長さと略同一に設定される。また、かしめ部カバー５の内径の上下方向の長さは、基板ケース１の天板からかしめ部１０の最上端部までの長さより若干長く設定される。このように、かしめ部カバー５の内径の左右、前後および上下方向の長さは、複数のかしめ部１０を外側から一括して被覆可能な長さに設定される。
【００９２】
次に、かしめ部カバー５に設けられる係止片挿入体７０の構成について、さらに詳細に説明する。
なお、本実施形態において、係止片挿入体７０は合計６つ設けられる。以下の説明においては、かしめ部カバー５の右側板６５の右側方に形成された２つの係止片挿入体７０のうち、後側に配置された係止片挿入体７０の構成についてのみ説明する。他の係止片挿入体７０の構成については、図面にて前記後側に配置された係止片挿入体７０の説明で用いた符号と同一の符号を付すことで、その説明を省略する。
【００９３】
係止片挿入体７０は、図２０に示すように、基板ケース１の天板に設けられた６つの内側係止片８２のうち、対応する内側係止片８２が挿入され、係止されるものである。係止片挿入体７０は、下側が開口された略四角筒状に形成され、かしめ部カバー５の右側板６５の右側方に形成される。右側板６５の右側方に形成される係止片挿入体７０は、前後方向においては、かしめ部カバー５の右側板６５の後部側に配置されている。係止片挿入体７０の前下端部には、後側および下側が開口された略四角筒状の部材（以下の説明において「前四角筒部７１」と称する。）が前方へ向けて突設されるとともに、係止片挿入体７０の後下端部に、前側および下側が開口された略四角筒状の部材（以下の説明において「後四角筒部７２」と称する。）が後方へ向けて突設される。前四角筒部７１と後四角筒部７２とは、係止片挿入体７０の前後中央部を中心として略前後対称に形成される。
【００９４】
前四角筒部７１の右側板および後四角筒部７２の右側板には、前後一対の貫通孔７５が形成される。前後一対の貫通孔７５は、前四角筒部７１の右側板および後四角筒部７２の右側板、つまり係止片挿入体７０の右側板を左右方向に貫通して、側面視で略正方形状に形成される。前四角筒部７１の貫通孔７５と、後四角筒部７２の貫通孔７５との間には、係止片挿入体７０の右側板の一部分である、係止片被覆部７３が設けられる。係止片挿入体７０に内側係止片８２が挿入された状態で、側面視でその内側係止片８２が視認できないように被覆する部位である。係止片被覆部７３の前後方向の長さは、内側係止片８２の前後方向の長さと略同一か、又は長くなるように設定される。また、係止片挿入体７０に内側係止片８２が挿入された状態において、その内側係止片８２と係止片挿入体７０との間には、ほとんど隙間が設けられない。
【００９５】
前四角筒部７１は、その後側の開口部を通じて係止片挿入体７０の前後中央部、つまり係止片挿入体７０における係止片被覆部７３の内側と連通される。また、後四角筒部７２は、その前側の開口部を通じて係止片挿入体７０の前後中央部、つまり係止片挿入体７０における係止片被覆部７３の内側と連通される。即ち、前四角筒部７１と後四角筒部７２とは係止片挿入体７０の前後中央部、つまり係止片挿入体７０における係止片被覆部７３の内側を介して連通されている。
【００９６】
係止片挿入体７０の前後中央部、つまり係止片挿入体７０における係止片被覆部７３の内側には、長手方向を上下方向とした略直方体状に形成された空間が設けられ、この空間に内側係止片８２が挿入される。よって、係止片挿入体７０（前記空間）の内径の前後、左右および上下方向の長さは、内側係止片８２の外径の前後、左右および上下方向の長さと略同一か、又は若干長く設定される。つまり、内側係止片８２が係止片挿入体７０に挿入された状態においては、内側係止片８２の外周面と係止片挿入体７０の内周面とが略当接するように設定される。このような構成により、内側係止片８２が係止片挿入体７０に挿入された状態において、その内側係止片８２は、いずれの方向へ向けて付勢されても係止片挿入体７０の内周面に当接するので弾性変形しないように形成される。
【００９７】
係止片挿入体７０の左側板の上部には、開口部７４が形成される。開口部７４は、係止片挿入体７０の左側板を左右方向に貫通して側面視で略長方形状に形成される。開口部７４には、略板状の弾性部材である係止片受部７９が設けられる。係止片受部７９は、その板面を左右方向に向けた状態で開口部７４の下側縁部から、右斜め上方へ向けて、つまり内側係止片８２側へ向けて突出される。係止片受部７９の上端面は、略水平面となる。
【００９８】
次に、かしめ部カバー５と基板ケース１との係止について説明する。
【００９９】
かしめ部カバー５と基板ケース１との係止は、図２０に示すように、係止片挿入体７０に基板ケース１の内側係止片８２を挿入することによって行われる。
内側係止片８２が係止片挿入体７０に挿入される場合には、内側係止片８２の上端部が、係止片挿入体７０の下端部の前後中央、つまり係止片挿入体７０における係止片被覆部７３の内側からその内部へ挿入される。係止片挿入体７０に挿入される内側係止片８２は、係止片挿入体７０の内部で、内側係止片８２の爪部８４を上方へ向けて摺動させながら移動する。そして、内側係止片８２の爪部８４が係止片挿入体７０の係止片受部７９と当接すると、下側へ行くとともに該係止片受部７９側へ向けて拡径された爪部８４は、弾性部材である係止片受部７９を左側方、つまり内側係止片８２の爪部８４から離間する方向へ押圧して弾性変形させながら、上方へ移動する。さらに、内側係止片８２が上方へ向けて移動して、内側係止片８２の爪部８４が係止片受部７９よりも上方に位置すると、爪部８４による係止片受部７９の押圧状態が解除され、弾性変形されていた係止片受部７９が右側方、つまり内側係止片８２の爪部８４に近接する方向に形状を復元し、内側係止片８２の爪部８４と係止片挿入体７０の係止片受部７９とが係止される。
【０１００】
このような構成により内側係止片８２の爪部８４と係止片挿入体７０の係止片受部７９とが係止された状態では、略水平面に形成される爪部８４の底面と、略水平面に形成される係止片受部７９の上端面とは、平面視で重複して当接されている。したがって、内側係止片８２の爪部８４と係止片挿入体７０の係止片受部７９とが一旦係止されると、容易にその係止が解除されない（内側係止片８２が係止片挿入体７０から抜き取られない）ような構成となっている。
【０１０１】
本実施形態における合計６つの内側係止片８２および係止片挿入体７０はそれぞれ略同一の形状にて形成されるので、かしめ部カバー５を基板ケース１に取り付ける際に、これらの全ての内側係止片８２と係止片挿入体７０とが略同時に係止されることとなる。また、かしめ部カバー５を基板ケース１に取り付けた際に、基板ケース１の内側係止片８２とともに外側係止片８１（の爪部８３）がかしめ部カバー５の係止片受部６６に係止される。
これによって、かしめ部カバー５は、基板ケース１の２つの外側係止片８１と、６つの内側係止片８２とにより係止されて該基板ケース１に取り付けられることとなる。
【０１０２】
次に、かしめ部カバー５が基板ケース１に取り付けられた際に、第一かしめ部１００の第一蓋側切り欠け部１３７および第二かしめ部２００の第二本体側切り欠け部２２７にリブ１５が挿入される構成について、図１５から図１９、図２１、図２２を用いて説明する。
【０１０３】
まず、かしめ部カバー５に設けられるリブ１５の構成についてさらに詳細に説明する。
【０１０４】
リブ１５は、側面視で略矩形状に形成される板状の部材である。リブ１５は、その板面を左右方向に向けた状態で、上端部が天板６１の裏面と接続され、下端部が下方へ向けて延出される。リブ１５の前後方向の長さおよび厚み（左右方向の長さ）は、第一蓋側収容部１３２の第一蓋側切り欠け部１３７（および第二本体側収容部２２２の第二本体側切り欠け部２２７）の切り欠け長さ（前後方向の長さ）および切り欠け幅（左右方向の長さ）よりも若干小さく設定される。
また、リブ１５の上下方向の長さは、基板ケース１に係止された状態のかしめ部カバー５の天板６１から、第一蓋側収容部１３２の天板および第二本体側収容部２２２の天板までの長さより長く、且つ、第一蓋側収容部１３２の底板および第二本体側収容部２２２の底板までの長さより短く設定される。
また、リブ１５の前後方向の長さと嵌入部材５０の前後方向の長さとの和は、（全体として軸心方向を前後方向とした略筒状に形成される）第一かしめ部１００の内径の前後方向の長さ、および第二かしめ部２００の内径の前後方向の長さよりも短く、且つ、第一かしめ部１００においては、第一蓋側かしめ部１３０の内径の前後方向の長さ、また第二かしめ部２００においては、第二本体側かしめ部２２０の内径の前後方向の長さよりも長く設定される。
【０１０５】
リブ１５は、かしめ部カバー５に複数（本実施形態においては、４つ）備えられる。リブ１５は、基板ケース１に設けられた第一かしめ部１００の第一蓋側切り欠け部１３７および第二かしめ部２００の第二本体側切り欠け部２２７に挿入されるものである。つまり、基板ケース１の上端部において、基板ケース１の左右中央よりも左側に配置された第一かしめ部１００および第二かしめ部２００と、右側に配置された第一かしめ部１００および第二かしめ部２００とに対応してそれぞれ挿入されるように合計４つのリブ１５が設けられるものである。
【０１０６】
４つのリブ１５のうち２つのリブ１５は、かしめ部カバー５内の前部に配置される。これらのリブ１５は、左右方向に適宜の間隔をあけて配置され、その前端部がそれぞれ前板６２の内側面に接続される。なお、この左右方向の間隔は、各かしめ部１０において前端部が切り欠けられた、基板ケース１の左右中央よりも左側に配置された第一かしめ部１００の第一蓋側切り欠け部１３７、および右側に配置された第一かしめ部１００の第一蓋側切り欠け部１３７に対応するように設定される。
４つのリブ１５のうち残りの２つのリブ１５は、かしめ部カバー５内の後部に配置される。これらのリブ１５は、左右方向に適宜の間隔をあけて配置され、その後端部が背板６３の内側面に接続される。なお、この左右方向の間隔は、各かしめ部１０において後端部が切り欠けられた、基板ケース１の左右中央よりも左側に配置された第二かしめ部２００の第二本体側切り欠け部２２７、および右側に配置された第二かしめ部２００の第二本体側切り欠け部２２７に対応するように設定される。
【０１０７】
このような構成において、図１８、図１９および図２１に示すように、ケース本体２と蓋部材３とが嵌入部材５０により固定された状態（第一かしめ部１００においては、嵌入部材５０が第一本体側筒部１２１と第一蓋側筒部１３１との間に跨った状態、また、第二かしめ部２００においては、嵌入部材５０が第二本体側筒部２２１と第二蓋側筒部２３１との間に跨った状態）であるときに、かしめ部カバー５が基板ケース１に取り付けられると、第一かしめ部１００の第一蓋側切り欠け部１３７および第二かしめ部２００の第二本体側切り欠け部２２７に、かしめ部カバー５内のリブ１５が上方から挿入され、そのリブ１５の下側部分が第一かしめ部１００（さらに詳細には、第一蓋側収容部１３２）内、および第二かしめ部２００（さらに詳細には、第二本体側収容部２２２）内に侵入することとなる。
【０１０８】
第一かしめ部１００の第一蓋側収容部１３２内に挿入（侵入）されたリブ１５と、第一かしめ部１００に嵌入されている嵌入部材５０の板状片５３との間隔は、図１８および図２１に示すように、嵌入部材５０が反嵌入方向、つまり前方へ向けて移動した場合に、第一本体側筒部１２１と第一蓋側筒部１３１とに嵌入部材５０が跨って挿入されている状態が解除される前に、嵌入部材５０の前端部（板状片５３）が、リブ１５の後端部と当接して、その嵌入部材５０の前方へ向けての移動を規制することができる間隔であればよい。
また、第二かしめ部２００の第二本体側収容部２２２内に挿入（侵入）されたリブ１５と、第二かしめ部２００に嵌入されている嵌入部材５０の板状片５３との間隔は、図１８および図２１に示すように、嵌入部材５０が反嵌入方向、つまり後方へ向けて移動した場合に、第二本体側筒部２２１と第二蓋側筒部２３１とに嵌入部材５０が跨って挿入されている状態が解除される前に、嵌入部材５０の後端部（板状片５３）が、リブ１５の前端部と当接して、その嵌入部材５０の後方へ向けての移動を規制することができる間隔であればよい。
【０１０９】
最後に、以上のように構成される基板ケース１の作用効果について説明する。
【０１１０】
基板ケース１は、
ケース本体２と蓋部材３とを組み付けて形成される基板ケースにおいて、
前記ケース本体２の一側面に設けられる本体側筒状部材である第一本体側かしめ部１２０（第二本体側かしめ部２２０）と、前記蓋部材３の一側面に設けられる蓋側筒状部材である第一蓋側かしめ部１３０（第二蓋側かしめ部２３０）とを組み付けて形成され、第一本体側かしめ部１２０（第二本体側かしめ部２２０）と第一蓋側かしめ部１３０（第二蓋側かしめ部２３０）とを跨いだ状態に嵌入部材５０が嵌入される基板ケース筒状部材である第一かしめ部１００（第二かしめ部２００）と、
内部に第一かしめ部１００（第二かしめ部２００）収容した状態でケース本体２および蓋部材３に係止される基板ケース筒状部材カバーであるかしめ部カバー５と、
を備え、
かしめ部カバー５は、一面が開口された略箱状に形成され、前記開口した面を前記ケース本体２および前記蓋部材３の一側面に向けた姿勢で前記基板ケース１に係止され、
第一かしめ部１００（第二かしめ部２００）における第一本体側かしめ部１２０（第二本体側かしめ部２２０）および第一蓋側かしめ部１３０（第二蓋側かしめ部２３０）の少なくとも一方の側面には、前記嵌入部材５０の嵌入方向へ向けて切り欠かれた切欠部である第一蓋側切り欠け部１３７（第二本体側切り欠け部２２７）が形成され、
前記かしめ部カバー５の内部には、前記かしめ部カバー５の内周面から内側方向へ突設されるリブ１５が形成され、
前記リブ１５は、前記かしめ部カバー５が前記基板ケース１に係止された状態で、前記第一蓋側切り欠け部１３７（第二本体側切り欠け部２２７）に挿入され、前記嵌入部材５０が前記嵌入方向と反対方向へ移動することを規制するものである。
【０１１１】
また、基板ケース１においては、
前記第一本体側かしめ部１２０（第二本体側かしめ部２２０）および前記第一蓋側かしめ部１３０（第二蓋側かしめ部２３０）の一方における、前記嵌入方向の外側端部には、該外側端部を閉じる閉塞部１２５および閉塞部２３５が形成され、
前記嵌入部材５０は、前記第一本体側かしめ部１２０（第二本体側かしめ部２２０）および前記第一蓋側かしめ部１３０（第二蓋側かしめ部２３０）の他方側から、該第一本体側かしめ部１２０（第二本体側かしめ部２２０）および第一蓋側かしめ部１３０（第二蓋側かしめ部２３０）に嵌入され、
前記第一蓋側切り欠け部１３７（第二本体側切り欠け部２２７）は、前記第一本体側かしめ部１２０（第二本体側かしめ部２２０）および前記第一蓋側かしめ部１３０（第二蓋側かしめ部２３０）の他方の側面に形成され、
前記他方の側面に形成される前記第一蓋側切り欠け部１３７（第二本体側切り欠け部２２７）に挿入された前記リブ１５は、前記嵌入方向における前記第一本体側かしめ部１２０（第二本体側かしめ部２２０）および前記第一蓋側かしめ部１３０（第二蓋側かしめ部２３０）の前記他方側への、前記嵌入部材５０の移動を規制するものである。
【０１１２】
このような構成により、ケース本体２と蓋部材３とがかしめ部１０に嵌入された嵌入部材５０により固定され、かしめ部カバー５を取り付けた状態の基板ケース１において、嵌入部材５０によるケース本体２と蓋部材３との固定が不正に解除されることを防止することができる。
【０１１３】
具体的に、ケース本体２と蓋部材３とがかしめ部１０に嵌入された嵌入部材５０により固定され、かしめ部カバー５を取り付けた状態の基板ケース１において、嵌入部材５０によるケース本体２と蓋部材３との固定を解除する不正行為としては、以下のような行為が想定される。
即ち、図２２に示すように、第一かしめ部１００においては、第一かしめ部１００における嵌入部材５０の嵌入方向（後方向）の端部である第一本体側筒部１２１の閉塞部１２５と、かしめ部カバー５における閉塞部１２５に近接する場所として背板６３とに、切断用の工具を用いて挿入孔６０と挿入孔５９とがそれぞれ形成される。そして、これらの挿入孔６０と挿入孔５９とを通じて、ドライバのような細長い工具が第一かしめ部１００内に挿入され、第一本体側筒部１２１と第一蓋側筒部１３１とを跨いだ状態にある嵌入部材５０を反嵌入方向（前方向）へ向けて押圧して移動させるものである。そして、嵌入部材５０が前方向へ移動して、第一本体側筒部１２１と第一蓋側筒部１３１とに跨った状態が解除されると、第一かしめ部１００におけるケース本体２と蓋部材３との固定が解除されることとなる。
また、第二かしめ部２００においては、第二かしめ部２００における嵌入部材５０の嵌入方向（前方向）の端部である第二蓋側筒部２３１の閉塞部２３５と、かしめ部カバー５における閉塞部２３５に近接する場所として前板６２とに、切断用の工具を用いて挿入孔６０と挿入孔５９とがそれぞれ形成される。そして、これらの挿入孔６０と挿入孔５９とを通じて、ドライバのような細長い工具が第二かしめ部２００内に挿入され、第二本体側筒部２２１と第二蓋側筒部２３１とを跨いだ状態にある嵌入部材５０を反嵌入方向（後方向）へ向けて押圧して移動させるものである。そして、嵌入部材５０が後方向へ移動して、第二本体側筒部２２１と第二蓋側筒部２３１とに跨った状態が解除されると、第二かしめ部２００におけるケース本体２と蓋部材３との固定が解除されることとなる。
【０１１４】
しかしながら、前記想定される不正行為により、第一かしめ部１００において、第一本体側筒部１２１と第一蓋側筒部１３１とを跨いだ状態にある嵌入部材５０を反嵌入方向（後方向）へ向けて押圧して移動させたとしても、嵌入部材５０は、第一本体側筒部１２１と第一蓋側筒部１３１との間に跨った状態を解除するまで反嵌入方向（前方向）へ移動することはない。つまり、図２３に示すように、嵌入部材５０が押圧されて前方向へ移動しても、第一本体側筒部１２１と第一蓋側筒部１３１とを跨いだ状態が解除される前に、嵌入部材５０の前端部（板状片５３）と、（第一蓋側収容部１３２の第一蓋側切り欠け部１３７を通じて第一蓋側収容部１３２内に挿入された）リブ１５の後端部とが当接し、嵌入部材５０の前方向への移動が規制されるのである。したがって、第一かしめ部１００において、前記想定される不正行為によりケース本体２と蓋部材３との固定が解除されることを防止することができる。
また、前記想定される不正行為により、第二かしめ部２００において、第二本体側筒部２２１と第二蓋側筒部２３１とを跨いだ状態にある嵌入部材５０を反嵌入方向（前方向）へ向けて押圧して移動させたとしても、嵌入部材５０は、第二本体側筒部２２１と第二蓋側筒部２３１とに跨った状態を解除するまで反嵌入方向（後方向）へ移動することはない。つまり、図２３に示すように、嵌入部材５０が押圧されて後方向へ移動しても、第二本体側筒部２２１と第二蓋側筒部２３１とを跨いだ状態が解除される前に、嵌入部材５０の後端部（板状片５３）と、（第二本体側収容部２２２の第二本体側切り欠け部２２７を通じて第二本体側収容部２２２内に挿入された）リブ１５の前端部とが当接し、嵌入部材５０の後方向への移動が規制されるのである。したがって、第二かしめ部２００において、前記想定される不正行為によりケース本体２と蓋部材３との固定が解除されることを防止することができる。
【０１１５】
なお、本発明の一実施形態に係る基板ケース１は、前記想定される不正行為に対してのみ用いるものに限定するものではない。即ち、本発明の一実施形態に係る基板ケース１は、かしめ部カバー５を取り付けた状態のかしめ部１０において、本体側かしめ部２０と蓋側かしめ部３０とを跨いだ状態にある嵌入部材５０を反嵌入方向へ向けて移動させ、本体側かしめ部２０と蓋側かしめ部３０とを跨いだ状態を解除して、ケース本体２と蓋部材３との固定を解除しようとする不正行為に対して用いられる。
【０１１６】
また、このような構成により、かしめ部カバー５のリブ１５は、嵌入部材５０が第一かしめ部１００および第二かしめ部２００にそれぞれ嵌入された状態で、第一かしめ部１００の第一蓋側切り欠け部１３７および第二かしめ部２００の第二本体側切り欠け部２２７に、それぞれ挿入されるものである。したがって、嵌入部材５０が第一かしめ部１００と第二かしめ部２００との少なくともいずれか一方が嵌入されていない状態、つまりケース本体２と蓋部材３との固定が、第一かしめ部１００と第二かしめ部２００との少なくともいずれか一方で行なわれていない場合には、その嵌入されていない嵌入部材５０とリブ１５とが干渉するため、かしめ部カバー５を基板ケース１に取り付けることができない。つまり、基板ケース１の組み付け時に、第一かしめ部１００および第二かしめ部２００に嵌入部材５０が嵌入されず、ケース本体２と蓋部材３との固定が行なわれていない状態（かしめ忘れ）を防止することができる。
【符号の説明】
【０１１７】
１：基板ケース，２：ケース本体，３：蓋部材，５：かしめ部カバー，１５：リブ，５０：嵌入部材，１００：第一かしめ部，１２０：第一本体側かしめ部，１３０：第一蓋側かしめ部，１３７：第一蓋側切り欠け部，２００：第二かしめ部，２２０：第二本体側かしめ部，２２７：第二本体側切り欠け部，２３０：第二蓋側かしめ部
【図１】
2011212317.tif 000003
【図２】
2011212317.tif 000004
【図３】
2011212317.tif 000005
【図４】
2011212317.tif 000006
【図５】
2011212317.tif 000007
【図６】
2011212317.tif 000008
【図７】
2011212317.tif 000009
【図８】
2011212317.tif 000010
【図９】
2011212317.tif 000011
【図１０】
2011212317.tif 000012
【図１１】
2011212317.tif 000013
【図１２】
2011212317.tif 000014
【図１３】
2011212317.tif 000015
【図１４】
2011212317.tif 000016
【図１５】
2011212317.tif 000017
【図１６】
2011212317.tif 000018
【図１７】
2011212317.tif 000019
【図１８】
2011212317.tif 000020
【図１９】
2011212317.tif 000021
【図２０】
2011212317.tif 000022
【図２１】
2011212317.tif 000023
【図２２】
2011212317.tif 000024
【図２３】
2011212317.tif 000025